(57)【要約】    【構成】    冷蔵庫１０の扉１４ａの小口１８ａに取っ手２０を取り付け、その取っ手２０の板部２０ａの表面にメッセージ、たとえばブランドのロゴマークを表示するメッセージ表示部２２を形成する。    【効果】  扉を閉じればメッセージを隠すことができるので、メッセージ表示部が冷蔵庫の外観デザインに影響することがない。したがって、良好な視認性を得ながら、一方で調和と品位を保つことができる。【選択図】  図１
2005201552.tif 000002
【特許請求の範囲】
【請求項１】
小口にメッセージ表示領域を形成したことを特徴とする、扉装置。
【請求項２】
筐体と、この筐体の開口部を開閉自在に覆う扉とを有する装置において、
前記扉の小口にメッセージ表示領域を形成したことを特徴とする、扉を有する装置。
【請求項３】
前記扉の小口に形成されたメッセージ表示領域は、前記扉の閉塞時には隠されている、請求項２記載の扉を有する装置。
【請求項４】
筐体と、この筐体の開口部を開閉自在に覆う扉とを有する冷蔵庫において、
前記扉の小口にメッセージ表示領域を形成したことを特徴とする、冷蔵庫。
【請求項５】
前記扉は取っ手を有し、前記メッセージ表示領域は前記取っ手の近傍に形成した、請求項４記載の冷蔵庫。
【請求項６】
前記筐体は床の上に置かれ、そして前記メッセージ表示領域を前記床からの高さが１００−１６０ｃｍの範囲に配置した、請求項４または５記載の冷蔵庫。
【請求項７】
前記高さは１２０−１４０ｃｍの範囲である、請求項６記載の冷蔵庫。
【請求項８】
引出しを備えた冷蔵庫において、
前記引出しの小口にメッセージ表示部を形成したことを特徴とする、冷蔵庫。
【発明の詳細な説明】
【技術分野】
【０００１】
この発明は扉装置に関し、特にたとえば、電子レンジや冷蔵庫等の家電品の扉、建物の玄関や部屋の扉などの扉装置に関する。
【背景技術】
【０００２】
たとえば、特許文献１には、磁石と両面テープとの２重構造を用いてエンブレムを扉外板に取り付けた冷蔵庫が開示されている。
【０００３】
また、特許文献２には、扉の正面部に表示部を設け、その表示によって内部状態を表示するものようにした冷蔵庫が開示されている。
【０００４】
このようなエンブレムや表示部によって、ユーザの注意を喚起するメッセージ、たとえば冷蔵庫であれば、「開閉は素早く」を表示することができる。
【特許文献１】特開２００３−１０６７４９［Ｆ２５Ｄ  ２３／００  １１／００］
【特許文献２】特開２００１−１５３５３８［Ｆ２５Ｄ  ２３／０２  ２９／００］
【発明の開示】
【発明が解決しようとする課題】
【０００５】
しかしながら、特許文献１の従来技術も特許文献２の従来技術も、ともに、扉の表面（扉面）にメッセージを表示することになるので、ユーザの注意を喚起し易いが、そのメッセージ表示部が外観に影響を与えることになり、製品のデザインに影響を与えることになる。
【０００６】
他方、ユーザが普段は見ない位置、たとえば冷蔵庫の裏面等にメッセージを表示すれば、製品のデザインには殆ど影響しなくなるが、メッセージ表示機能は損なわれてしまう。
【０００７】
それゆえに、この発明の主たる目的は、デサインに影響することのないメッセージ表示が可能な、扉装置を提供することである。
【課題を解決するための手段】
【０００８】
請求項１の発明は、小口にメッセージ表示部を形成したことを特徴とする、扉である。
【０００９】
請求項１の発明では、たとえば冷蔵庫や電子レンジなどの家電品の扉、あるいは建物の玄関や部屋たとえば会議室や応接室の扉の小口に、メッセージを表示する。
【００１０】
請求項２の発明は、筐体と、この筐体の開口部を開閉自在に覆う扉とを有する装置において、扉の小口にメッセージ表示部を形成したことを特徴とする、扉を有する装置である。
【００１１】
請求項２の発明においても、扉の小口にメッセージ表示部を形成するので、装置のデザインがメッセージ表示部によって制約されることがない。
【００１２】
請求項３の発明は、扉の小口に形成されたメッセージ表示領域は、扉の閉塞時には隠されている、請求項２記載の扉を有する装置である。
【００１３】
請求項３の発明では、扉閉塞時には他の部材によってメッセージ表示部が覆い隠されているため、扉閉塞時の外観デザインに全く影響を与えることがない。さらに、扉開放時にはほぼ間違いなくユーザの視野に入るため、当該メッセージをユーザに認識させる役割を十分に果たすことができる。
【００１４】
請求項４の発明は、筐体と、この筐体の開口部を開閉自在に覆う扉とを有する冷蔵庫において、扉の小口にメッセージ表示部を形成したことを特徴とする、冷蔵庫である。
【００１５】
請求項４の発明においても、扉の小口にメッセージ表示部を形成するので、メッセージ表示部が冷蔵庫のデザインを制約したり、影響を与えたりすることはない。
【００１６】
請求項５の発明は、扉は取っ手を有し、メッセージ表示部は取っ手の近傍に形成した、請求項４記載の冷蔵庫である。
【００１７】
請求項５の発明では、メッセージ表示部が取っ手の近傍の小口に設けられる。このように取っ手の近傍にメッセージを表示すれば、冷蔵庫の扉を開くという動作がトリガとなり、手をかける部分が最も視野に入り易いので、メッセージをより一層効果的に注目させることができる。
【００１８】
請求項６の発明は、筐体は床の上に置かれ、そしてメッセージ表示部を床からの高さが１００−１６０ｃｍの範囲に配置した、請求項４または５記載の冷蔵庫である。
【００１９】
たとえば、日本人の標準的な女性（身長が１４５−１６５ｃｍと想定される。）が冷蔵庫からやや離れて扉を開ける場合、その人の目線の高さは１２０−１４０ｃｍにあると考えられる。したがって、床からの高さが身長に近い大型冷蔵庫の場合、扉を開ける人の視野に入り易い床からの高さの範囲は１００−１６０ｃｍの範囲であり、この高さ範囲にメッセージを表示することによって、メッセージへの注目を一層誘引することができ、メッセージ効果が一層発揮できる。
【００２０】
請求項７の発明は、高さは１２０−１４０ｃｍの範囲である、請求項６記載の冷蔵庫である。
【００２１】
請求項７の発明では、上記視野範囲１００−１６０ｃｍのうち特に目線の高さと同じである、１２０−１４０ｃｍの高さ範囲にメッセージ表示部を配置することによって、メッセージへの注目率を最大にすることができる。
【００２２】
請求項８の発明は、引出しを備える冷蔵庫において、引出しの小口にメッセージ表示部を形成したことを特徴とする、冷蔵庫である。
【００２３】
請求項８の発明では、引出しの小口にメッセージ表示部を設けることができる。引出し小口にメッセージ表示部を形成するので、請求項４の発明と同様に、メッセージ表示部が冷蔵庫のデザインを制約したり、影響を与えたりすることはない。
【発明の効果】
【００２４】
この発明によれば、メッセージは扉の小口に表示するので、扉面にメッセージを表示する場合に比べて、メッセージが外観に現れず、製品デザインに影響を与えることがない。
【００２５】
この発明の上述の目的，その他の目的，特徴および利点は、図面を参照して行う以下の実施例の詳細な説明から一層明らかとなろう。
【発明を実施するための最良の形態】
【００２６】
図１に示すこの実施例の冷蔵庫１０は、筐体１２と、その筐体１２の前面開口に、たとえば軸吊り機構によって観音開き態様で開閉可能に取り付けられる４つの扉１４ａ−１４ｄを含む。この実施例の場合、扉１４ａ，１４ｂ，１４ｃおよび１４ｄは、それぞれ、開口の左上、右上、左下および右下に設けられる。なお、図１では図示してはいないが、筐体１２すなわち冷蔵庫１０は当然床の上に設置される。
【００２７】
各扉１４は、図２に示すように、扉面１６と小口１８とを有し、内側の小口１８ａに取っ手２０が取り付けられる。この取っ手２０は、たとえばアルミニウム板を断面Ｌ字状に折り曲げて、または断面Ｌ字状のプラスチック板で形成され、Ｌ字の２辺に対応する２つの板部２０ａおよび２０ｂを含む。この取っ手２０は扉１４、特に実施例では扉１４ａに設けられるため、その高さは、当然、扉１４ａの高さより低くされる。
【００２８】
この取っ手２０の一方の板部２０ａの表面には、メッセージ表示部２２が形成され、このメッセージ表示部２２には、メッセージ、この実施例では、商標（ブランド）のロゴマーク「ＳＡＮＹＯ」がたとえばシルクスクリーン印刷で表示される。そして、たとえば板部２０ａの裏面が小口１８ａに接着されるなどして、扉１４ａに取っ手２０が取り付けられる。したがって、メッセージ表示部２２は結果的に扉１４ａの小口１８ａに形成されることになる。このとき、取っ手２０の下端が扉１４ａの下端と面一に合わされ、したがって、取っ手２０は扉１４の下方に取り付けられる。そして、板部２０ａの幅は小口１８ａの厚みより大きくされているため、扉面１６と板部２０ｂとの間に隙間２４（図１）が形成される。したがって、扉１４ａを開けるためには、この隙間２４に指先を入れて手前に引けばよい。
【００２９】
図１実施例によれば、観音開き態様の冷蔵庫１０の扉１４ａの小口において、扉１４ｂ側の小口との合わせ目側にメッセージ表示部２２を設けているため、扉１４ａを閉じた状態では、他の扉１４ｂ−１４ｄと同じようにメッセージ表示部２２は見えず、扉１４ａを開けたときだけメッセージ表示部２２に表示されたメッセージを見ることができる。したがって、この実施例によれば、扉１４ａの扉面１６にメッセージを表示しないので、冷蔵庫１０の外観デザインに影響することがない。そのため、冷蔵庫をデザインする際にメッセージ表示部を考慮する必要がない。つまり、メッセージ表示部が製品デザインに影響を与えない。
【００３０】
上述のメッセージ表示部２２に表記されるメッセージとしては、文章や、製造ラベルなどが考えられるが、単なる文章や製造ラベルなどの表示、掲示ではなく、比較的短く、記憶し易いものが好ましい。なぜなら、短いメッセージがより強く人間の潜在意識に働きかけるからである。このような短いメッセージとしては、消費者に覚えてもらうことによって効果を発揮する企業ブランド（ロゴマーク等）が好適するが、このようなブランドマーク以外にも、消費者に是非注意して欲しいまたは覚えて欲しい注意書きのようなものも効果的である。
【００３１】
さらに、実施例では特に図３からよくわかるように、取っ手２０にメッセージ表示部２２を形成した。このように、メッセージ表示部２２を取っ手２０上またはその近傍（まとめて「近傍」と表現する。）に設けることが効果的である。なぜなら、このように取っ手２０の近傍の小口にメッセージを表示すれば、人４０が冷蔵庫の扉を開くという動作がトリガとなり、手４２をかける部分が最も視野に入り易いので、メッセージをより一層効果的に注目させることができる。
【００３２】
また、メッセージ表示部２２を設ける高さも重要である。冷蔵庫１０を床上に設置している状態で、たとえば、日本人の標準的な女性（身長が１４５−１６５ｃｍと想定される。）が冷蔵庫からやや離れて扉を開ける場合、図３に示す人４０の目線４４の高さは１２０−１４０ｃｍにあると考えられる。したがって、床からの高さが身長に近い大型冷蔵庫の場合、扉を開ける人の視野に入り易い床からの高さの範囲は１００−１６０ｃｍの範囲であり、この高さ範囲にメッセージを表示することによって、メッセージへの注目を一層誘引することができ、メッセージ効果が一層発揮できる。
【００３３】
この視野範囲１００−１６０ｃｍのうち特に目線の高さと同じである、１２０−１４０ｃｍの高さ範囲にメッセージ表示部を配置することによって、メッセージへの注目率をさらに高めて最大にすることができる。
【００３４】
表示するメッセージの文字が多く、サイズを小さくする（たとえば１−５ｃｍ程度）必要がある場合は、或る程度の明度差をつけることでメッセージを明瞭にする手法の他に、ヨハネス・イッテン（１８８８−１９６７）の色彩論にも見られるように、調和のある色の対比効果（色相対比（たとえば緑に対する赤）、寒暖対比（たとえば青に対する赤）、明暗対比（たとえば黄に対する紫）等）を用いることで、様々な製品のデザイン意図に沿った表現の上でメッセージ表示部２２のメッセージを明瞭にすることができる。
【００３５】
また、メッセージ表示部２２の地色とそれに表示するメッセージの色とを同系色とした（たとえば地色を薄い色とし、メッセージをそれと同じ色で濃くする）場合、視認性が低下するため、メッセージの文字サイズはやや大きめにする必要がある（たとえば５ｃｍ以上）。しかしながら、同系色の色を使えば商品設計においては視覚的な調和がとり易くかつ品位を保ち、高級感を出すことができる。
【００３６】
発明者等が得た上述のような知見に従って、この発明の実施例では、冷蔵庫のメッセージ表示部２２の大きさはおよそ５０×１０ｃｍとした。地色はシルバーに近いグレーであり、白を０％、黒を１００％としたとき、約１０％のグレーとした。メッセージ自体の色は地色と同系色のやや濃い色とし、５０％のグレーを用いた。メッセージの文字サイズは７ｃｍ程度とし、全体として２０ｃｍのロゴマークをメッセージとして表示した。結果、良好な視認性を得ながら、一方で調和と品位を保つことができた。
【００３７】
ただし、上述の色以外にも、質感や光沢、手触りの違い等でメッセージを表示することも有効である。さらには、メッセージは、印刷（たとえばシルク印刷、ホットスタンプなど）によるもの、あるいはシール状のものを貼り付けることによって表示してもよい。実施例では、プラスチックの取っ手２０上にシルク印刷でメッセージ表示部２２を形成した。
【００３８】
なお、図１の実施例では、扉１４ａの小口１８ａに取り付けた取っ手２０にメッセージ表示部２２を形成した。しかしながら、このメッセージ表示部２２は小口１８ａに直接形成されてもよい。
【００３９】
また、図１実施例では、扉１４ａにのみメッセージ表示部２２を形成したが、他の扉１４ｂ−１４ｄにも同様にメッセージ表示部を形成するようにしてもよい。この場合、たとえば、扉１４ａのメッセージ表示部には「冷蔵室」、扉１４ｂのメッセージ表示部には「びん・ボトル」、扉１４ｃのメッセージ表示部には「野菜室」、そして扉１４ｄのメッセージ表示部には「冷凍・チルド室」のように、それぞれ異なる機能を表示することによって、冷蔵庫の各部の機能を表示するようにしてもよい。したがって、この明細書でいう「メッセージ」には、上述のような商標（ブランド）表示や、このような機能表示なども当然含まれる。
【００４０】
さらに、この「メッセージ」としては、図１実施例では、「早く閉めましょう」など注意を喚起する短文なども考えられる。
【００４１】
図４実施例の冷蔵庫１０では、メッセージ表示部２２は、扉１４にではなく、引出し２６の小口２８に形成される。したがって、この実施例では、取っ手３０をつかんで引出し２６を引き出したときだけ、メッセージ表示部２２のメッセージを見取ることができる。したがって、この実施例でも、メッセージ表示部２２が扉すなわち冷蔵庫の外観に影響を与えることがない。ただし、この実施例でも、上述の実施例と同様に、扉１４の小口１８にメッセージ表示部２２を併せて形成してもよいことは勿論である。
【００４２】
図５および図６の実施例では、それぞれ、建物の部屋３２の扉３４の小口３６にメッセージ表示部３８を形成する。ただし、図５の実施例は引き戸に適用され、図６の実施例は開き戸に適用される。図５および図６のいずれの実施例でも、メッセージ表示部３８が扉３４の外観に影響を与えることはない。
【００４３】
さらに、図示していないが、この発明は、扉が付いたすべてのもの、たとえば家電品であれば冷蔵庫の他に電子レンジなどに、建物であれば玄関扉などにも適用でき、さらに車のドアにもこの発明を適用することはできる。
【００４４】
また、上述の実施例のメッセージ表示部２２や３８ではたとえば印刷によって固定的なメッセージを表示するようにした。しかしながら、この発明のメッセージ表示部としてはたとえば液晶表示器を用いて動的に変化するメッセージを表示するものも考えられる。
【００４５】
さらに、言葉（文字）によるメッセージの他、図形やホログラムなど文字以外の形態のメッセージも当然考えられる。
【図面の簡単な説明】
【００４６】
【図１】この発明の一実施例の冷蔵庫を示す斜視図である。
【図２】図１実施例における取っ手の取り付け状態を示す図解図である。
【図３】図１実施例におけるメッセージ表示部と人間の目線との関係を示す図解図である。
【図４】この発明の他の実施例の冷蔵庫を示す斜視図である。
【図５】この発明のさらに他の実施例の部屋入り口を示す斜視図である。
【図６】この発明のその他の実施例の部屋入り口を示す斜視図である。
【符号の説明】
【００４７】
１０  …冷蔵庫
１２  …筐体
１４、１４ａ−１４ｄ、３４  …扉
１８、１８ａ、３６  …小口
２２、３８  …メッセージ表示部
４４  …目線
【図１】
2005201552.tif 000003
【図２】
2005201552.tif 000004
【図３】
2005201552.tif 000005
【図４】
2005201552.tif 000006
【図５】
2005201552.tif 000007
【図６】
2005201552.tif 000008